(57)【特許請求の範囲】
【請求項１】
画像を被投射面に向けて投射する投射光学装置と、前記投射光学装置から投射された画像を通過させるための画像用開口部を有する外装筐体とを備えたプロジェクターであって、
前記画像用開口部は、
前記外装筐体を構成する各側壁部のうち、鉛直方向に交差する一の側壁部に形成され、
前記投射光学装置は、
前記画像を反射させ、前記画像用開口部を介して投射する反射ミラーを備え、
前記一の側壁部には、
前記画像用開口部よりも前記被投射面に近接する側において、前記被投射面から離間するにしたがって前記外装筐体における前記一の側壁部に対向する他の側壁部に向う第１傾斜面が形成され、
前記第１傾斜面には、
入射した光を前記被投射面とは離間する方向に拡散する光拡散処理が施されている
ことを特徴とするプロジェクター。
【請求項２】
請求項１に記載のプロジェクターにおいて、
前記第１傾斜面には、
前記画像用開口部を介して投射された画像の投射方向に向く投射対向面、及び非投射方向に向く非対向面が前記第１傾斜面の傾斜方向に沿って交互に複数形成されている
ことを特徴とするプロジェクター。
【請求項３】
請求項１または請求項２に記載のプロジェクターにおいて、
前記一の側壁部には、
前記被投射面に近接するにしたがって前記他の側壁部に向う第２傾斜面を有し、
前記第２傾斜面には、
前記反射ミラーに向けて窪み底部分に前記画像用開口部を有する凹部が形成され、
前記凹部の側壁には、
前記光拡散処理が施されている
ことを特徴とするプロジェクター。
【発明の詳細な説明】
【技術分野】
【０００１】
本発明は、プロジェクターに関する。
【背景技術】
【０００２】
従来、プロジェクターにおいて、光路最下流に反射ミラーを有する反射型の投射光学装置（投射レンズユニット）を採用した構成が知られている（例えば、特許文献１参照）。
具体的に、特許文献１に記載のプロジェクターでは、投射光学装置を構成するレンズ群を介した画像を反射ミラーにて反射させることで、外装筐体を構成する各側壁部のうち鉛直方向に交差する天面部に設けられた画像用開口部（光線通過窓）を介して広角化させ、スクリーン等の被投射面に投射している。
また、特許文献１に記載のプロジェクターでは、外装筐体の天面部には、画像用開口部よりも被投射面に近接する側において、以下のように傾斜した傾斜面（下り傾斜面）が形成されている。
傾斜面は、画像用開口部を介して投射された画像の投射方向に倣うように、すなわち、被投射面から離間するにしたがって外装筐体における天面部に対向する底面部に向けて傾斜している。
【先行技術文献】
【特許文献】
【０００３】
【特許文献１】特開２００８−２５０２８０号公報
【発明の概要】
【発明が解決しようとする課題】
【０００４】
ところで、外装筐体内部において、設定された光路から外れた光は、画像の形成に寄与しない不要な光（以下、不要光）となる。すなわち、画像用開口部を介して外装筐体外部に向けて射出される光は、画像の他、上述した不要光も含まれるものである。
そして、特許文献１に記載のプロジェクターにおいて、上述した不要光が画像用開口部を介して外装筐体外部に射出され、傾斜面に入射した場合には、傾斜面にて反射して被投射面に入射してしまう恐れがある。
上記のように不要光が被投射面に入射した場合には、被投射面上に表示された投射画像に不要光が含まれることとなり、投射画像の画質が劣化してしまう。
【０００５】
本発明の目的は、投射画像の画質を良好に維持できるプロジェクターを提供することにある。
【課題を解決するための手段】
【０００６】
本発明のプロジェクターは、画像を被投射面に向けて投射する投射光学装置と、前記投射光学装置から投射された画像を通過させるための画像用開口部を有する外装筐体とを備えたプロジェクターであって、前記画像用開口部は、前記外装筐体を構成する各側壁部のうち、鉛直方向に交差する第一の側壁部に形成され、前記投射光学装置は、前記画像を反射させ、前記画像用開口部を介して投射する反射ミラーを備え、前記第一の側壁部には、前記画像用開口部よりも前記被投射面に近接する側において、前記被投射面から離間するにしたがって前記外装筐体における前記第一の側壁部に対向する第二の側壁部に向う第１傾斜面が形成され、前記第１傾斜面には、入射した光を吸収する光吸収処理が施されていることを特徴とする。
【０００７】
本発明では、外装筐体を構成する各側壁部のうち、鉛直方向に交差する第一の側壁部において、画像用開口部よりも被投射面に近接する側には、上述したように傾斜し、光吸収処理が施された第１傾斜面が形成されている。このことにより、不要光が画像用開口部を介して外装筐体外部に射出され、第１傾斜面に入射した場合であっても、第１傾斜面にて不要光が反射することを防止でき、不要光が第１傾斜面を介して被投射面に入射することを防止できる。このため、被投射面上に表示された投射画像に不要光が含まれることがなく、投射画像の画質を良好に維持できる。
【０００８】
本発明のプロジェクターでは、前記第一の側壁部には、前記被投射面に近接するにしたがって前記第二の側壁部に向う第２傾斜面を有し、前記第２傾斜面には、前記反射ミラーに向けて窪み底部分に前記画像用開口部を有する凹部が形成され、前記凹部の側壁には、前記光吸収処理が施されていることが好ましい。
ところで、前記第一の側壁部に上述した凹部を形成せずに直接、画像用開口部を形成した場合には、画像用開口部を介して、利用者が誤って投射光学装置に触れてしまう恐れがある。
そして、利用者が誤って投射光学装置に触れてしまった場合には、投射光学装置に異物が付着したり、位置ずれが生じたりする恐れがあり、すなわち、良好な投射画像を表示できない恐れがある。
【０００９】
本発明では、前記第一の側壁部における第２傾斜面に上述した凹部が形成され、凹部の底部分に画像用開口部が形成されているので、画像用開口部を介して、利用者が投射光学装置に触れ難い構造となる。このため、利用者が投射光学装置に触れることにより異物が付着したり、位置ずれが生じたりする恐れがない。したがって、良好な投射画像を表示できる。
また、第１傾斜面の他、凹部の側壁にも光吸収処理が施されている。このことにより、不要光が画像用開口部を介して外装筐体外部に射出され、凹部の側壁に入射した場合であっても、凹部の側壁にて不要光が反射することを防止でき、不要光が凹部の側壁を介して被投射面に入射することも防止できる。
【００１０】
本発明のプロジェクターでは、前記外装筐体は、外装筐体本体と、前記外装筐体本体とは別体で構成され、前記外装筐体本体に接続して前記外装筐体本体とともに外装を構成する接続部材とを備え、前記第１傾斜面は、前記接続部材に形成されていることが好ましい。
ところで、第１傾斜面に不要光を吸収させる場合には、例えば、外装筐体として、素材自体が黒色の合成樹脂成形品とすることが考えられる。しかしながら、外装筐体を上記のように構成した場合には、外装筐体の素材が限定されるため、外装筐体の設計の自由度が低減してしまう。また、第１傾斜面のみを黒で塗装することも考えられるが、このように構成した場合には、外装筐体の製造コストが増加してしまう。
本発明では、第１傾斜面を有する接続部材が外装筐体本体とは別体で構成されているので、例えば、接続部材のみを素材自体が黒色の合成樹脂成形品で構成すれば、外装筐体を上述した構成とする必要がなく、外装筐体の設計の自由度を向上できるとともに、低コストで外装筐体を製造できる。
【００１１】
本発明のプロジェクターは、画像を被投射面に向けて投射する投射光学装置と、前記投射光学装置から投射された画像を通過させるための画像用開口部を有する外装筐体とを備えたプロジェクターであって、前記画像用開口部は、前記外装筐体を構成する各側壁部のうち、鉛直方向に交差する第一の側壁部に形成され、前記投射光学装置は、前記画像を反射させ、前記画像用開口部を介して投射する反射ミラーを備え、前記第一の側壁部には、前記画像用開口部よりも前記被投射面に近接する側において、前記被投射面から離間するにしたがって前記外装筐体における前記第一の側壁部に対向する第二の側壁部に向う第１傾斜面が形成され、前記第１傾斜面には、入射した光を拡散する光拡散処理が施されていることを特徴とする。
【００１２】
本発明では、外装筐体を構成する各側壁部のうち、鉛直方向に交差する第一の側壁部において、画像用開口部よりも被投射面に近接する側には、上述したように傾斜し、光拡散処理が施された第１傾斜面が形成されている。このことにより、不要光が画像用開口部を介して外装筐体外部に射出され、第１傾斜面に入射した場合であっても、第１傾斜面にて不要光が拡散されることとなり、不要光が第１傾斜面を介して被投射面に入射することを防止できる。このため、被投射面上に表示された投射画像に不要光が含まれることがなく、投射画像の画質を良好に維持できる。
【００１３】
本発明のプロジェクターでは、前記第１傾斜面には、前記画像用開口部を介して投射された画像の投射方向に向く投射対向面、及び非投射方向に向く非対向面が前記第１傾斜面の傾斜方向に沿って交互に複数形成されていることが好ましい。
本発明では、第１傾斜面には、上述した投射対向面及び非対向面が第１傾斜面の傾斜方向に沿って交互に複数形成されている。このことにより、不要光が画像用開口部を介して外装筐体外部に射出され、第１傾斜面に入射した場合であっても、複数の投射対向面により、被投射面とは離間する側に反射させて拡散することができる。すなわち、複数の投射対向面及び複数の非対向面という簡素な構造で不要光を拡散する構造を実現できる。
【００１４】
本発明のプロジェクターでは、前記第一の側壁部には、前記被投射面に近接するにしたがって前記第二の側壁部に向う第２傾斜面を有し、前記第２傾斜面には、前記反射ミラーに向けて窪み底部分に前記画像用開口部を有する凹部が形成され、前記凹部の側壁には、前記光拡散処理が施されていることが好ましい。
本発明では、前記第一の側壁部における第２傾斜面に上述した凹部が形成され、凹部の底部分に画像用開口部が形成されているので、画像用開口部を介して、利用者が投射光学装置に触れ難い構造となる。このため、利用者が投射光学装置に触れることにより異物が付着したり、位置ずれが生じたりする恐れがない。したがって、良好な投射画像を表示できる。
また、第１傾斜面の他、凹部の側壁にも光拡散処理が施されている。このことにより、不要光が画像用開口部を介して外装筐体外部に射出され、凹部の側壁に入射した場合であっても、凹部の側壁にて不要光が拡散されることとなり、不要光が凹部の側壁を介して被投射面に入射することも防止できる。
【図面の簡単な説明】
【００１５】
【図１】第１実施形態におけるプロジェクターの使用状態を側方から見た図。
【図２】第１実施形態におけるプロジェクターの外観を示す斜視図。
【図３】第１実施形態における外装筐体の天面部の構造を示す図。
【図４】第１実施形態における外装筐体内部に収容される光学ユニットを背面上方側から見た斜視図。
【図５】第１実施形態における投射光学装置の内部構成を模式的に示す断面図。
【図６】第２実施形態におけるアッパーケースを前面上方側から見た分解斜視図。
【図７】第３実施形態におけるプロジェクターの外観を示す斜視図。
【図８】第３実施形態における第１傾斜面に形成された投射対向面及び非対向面を示す図。
【発明を実施するための形態】
【００１６】
[第１実施形態]
以下、本発明の第１実施形態を図面に基づいて説明する。
〔プロジェクターの構成〕
図１は、プロジェクター１の使用状態を側方から見た図である。
プロジェクター１は、画像情報に応じた画像を形成し、形成した画像をスクリーン等の被投射面Ｓｃ（図１）上に投射する。
本実施形態では、プロジェクター１は、図１に示すように、当該プロジェクター１が設置される室内において、天吊り金具Ｍにより吊り下げられ、天井面ＲＳに近接した位置に配設される。そして、プロジェクター１は、壁面ＷＳに設置された被投射面Ｓｃに向けて画像を投射する。
【００１７】
このプロジェクター１は、図１に示すように、外装を構成する外装筐体２を備える。
なお、以下では、説明の便宜上、外装筐体２において、鉛直方向に交差する一対の側壁部２Ａ，２Ｂのうち、図１に示す使用状態で床面ＢＳに向く側壁部２Ａを天面部とし、天井面ＲＳに向く側壁部２Ｂを底面部と記載する。
また、以下では、プロジェクター１において、図１に示す使用状態で被投射面Ｓｃに近接する側を背面とし、被投射面Ｓｃから離間する側を前面とする。
【００１８】
〔外観構成〕
図２は、プロジェクター１の外観を示す斜視図である。具体的に、図２は、プロジェクター１の天面部２Ａ側を背面側から見た斜視図である。
なお、以下では、説明の便宜上、図２に示すように天面部２Ａを上方に向けた姿勢で、プロジェクター１の各構成を説明する。すなわち、図２中の「上」、「下」を「上」、「下」として記載する。
図３は、外装筐体２の天面部２Ａの構造を示す図である。具体的に、図３は、前面側から見て左側方からのプロジェクター１の側面図である。
外装筐体２は、プロジェクター１の装置本体を収納する。この外装筐体２は、図２または図３に示すように、天面部２Ａを有するアッパーケース３と、底面部２Ｂを有するロアーケース４とを組み合わせることで構成され、略直方体形状を有する。
この外装筐体２において、天面部２Ａには、図２または図３に示すように、前後方向（背面から前面への方向）の略中心位置よりも背面側に第１傾斜面２１及び第２傾斜面２２が形成されている。
第１傾斜面２１は、第２傾斜面２２に対して前面側に位置し、前面から背面に向うにしたがって（被投射面Ｓｃから離間するにしたがって）下方に（底面部２Ｂに向けて）傾斜している。
なお、この第１傾斜面２１は、具体的な図示は省略したが、投射光学装置６からの画像の投射方向に倣うように、すなわち、投射された画像に干渉しないように傾斜させたものである。
【００１９】
第２傾斜面２２は、第１傾斜面２１に連接し、背面から前面に向けて下方に傾斜している。
この第２傾斜面２２には、図２に示すように、投射光学装置６の配設位置に対応し、背面の斜め下方に向けて窪む凹部２２１が形成されている。
また、凹部２２１の底部分には、投射光学装置６にて投射される画像を通過させるための画像用開口部２２１Ａが形成されている。
以上説明した外装筐体２において、アッパーケース３には、入射した光を吸収する光吸収処理が施されている。
具体的に、本実施形態では、アッパーケース３として、素材自体が黒色の合成樹脂成形品とすることで、入射した光を吸収する構成とされている。
【００２０】
〔内部構成〕
図４は、外装筐体２内部に収容される光学ユニット５を背面上方側から見た斜視図である。
外装筐体２内部には、図４に示す光学ユニット５が収容されている。
なお、具体的な図示は省略したが、外装筐体２内部において、光学ユニット５以外の空間には、外装筐体２内部を冷却する冷却ファン等を備えた冷却ユニット、プロジェクター１の各構成部材に電力を供給する電源ユニット、プロジェクター１の各構成部材の動作を制御する制御装置が配置されるものとする。
【００２１】
光学ユニット５は、光源装置、前記光源装置から射出された光束を画像情報に応じて変調して画像を形成する液晶パネル等の光変調装置、及び前記光変調装置にて形成された画像を被投射面Ｓｃに向けて投射する投射光学装置６（図４）等を備える。
なお、光学ユニット５については、種々の一般的なプロジェクターで利用されているため、具体的な図示及び説明を省略し、以下では、投射光学装置６の構成のみを説明する。
【００２２】
図５は、投射光学装置６の内部構成を模式的に示す断面図である。
投射光学装置６は、図４または図５に示すように、複数のレンズ６１（図５）と、反射ミラーとしての非球面ミラー６２（図５）と、保持体６３とを備える。
非球面ミラー６２は、回転対称でない自由曲面形状の反射面６２Ａを有する。そして、非球面ミラー６２は、投射光学装置６における光路最下流において、反射面６２Ａが前面の斜め上方側を向くように配設され、複数のレンズ６１にて前面から背面に導かれた画像を前面の斜め上方側に反射させて広角化する。
【００２３】
保持体６３は、中空状に形成され、内部に複数のレンズ６１及び非球面ミラー６２を収納する。
この保持体６３の上方側には、図５に示すように、非球面ミラー６２にて反射した画像を通過させるための第２の画像用開口部６３１が形成されている。
そして、保持体６３には、第２の画像用開口部６３１を閉塞するように、ガラス等の透光板６３２が取り付けられている。
【００２４】
上述した投射光学装置６を採用することで、被投射面Ｓｃに近い位置にプロジェクター１を配置することを可能とし、プロジェクター１の設置の自由度を向上させている。すなわち、スクリーン等の被投射面Ｓｃが設けられる壁面ＷＳにより近い位置にプロジェクター１を配置できるため、スクリーンから観察者の方向へ進行する光がプロジェクター１によって遮られる事態を確実に回避可能とし、快適な映像観賞を行うことができる。
【００２５】
上述した第１実施形態によれば、以下の効果がある。
本実施形態では、アッパーケース３（第１傾斜面２１）は、素材自体が黒色の合成樹脂成形品で構成されている。このことにより、不要光が画像用開口部２２１Ａを介して外装筐体２外部に射出され、第１傾斜面２１に入射した場合であっても、第１傾斜面２１にて不要光が反射することを防止でき、不要光が第１傾斜面２１を介して被投射面Ｓｃに入射することを防止できる。このため、被投射面Ｓｃ上に表示された投射画像に不要光が含まれることがなく、投射画像の画質を良好に維持できる。
【００２６】
また、天面部２Ａにおける第２傾斜面２２に凹部２２１が形成され、凹部２２１の底部分に画像用開口部２２１Ａが形成されているので、画像用開口部２２１Ａを介して、利用者が投射光学装置６に触れ難い構造となる。このため、利用者が投射光学装置６に触れることにより異物が付着したり、位置ずれが生じたりする恐れがない。したがって、良好な投射画像を表示できる。
さらに、アッパーケース３を素材自体が黒色の合成樹脂成形品で構成しているため、凹部２２１の側壁に光が入射した場合であっても、凹部２２１の側壁にて光が反射することを防止できる。すなわち、不要光が画像用開口部２２１Ａを介して外装筐体２外部に射出され、凹部２２１の側壁に入射した場合であっても、凹部２２１の側壁にて不要光が反射することを防止でき、不要光が凹部２２１の側壁を介して被投射面Ｓｃに入射することも防止できる。
【００２７】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図６は、本実施形態におけるアッパーケース３を前面上方側から見た分解斜視図である。
前記第１実施形態では、アッパーケース３は、単体で構成されていた。
これに対して第２実施形態では、アッパーケース３は、図６に示すように、外装筐体本体としてのケース本体３１と、接続部材３２との２体で構成されている。
その他の構成は、前記第１実施形態と同様である。
【００２８】
ケース本体３１において、天面部２Ａには、図６に示すように、第１傾斜面２１及び第２傾斜面２２を跨り平面視略矩形状の開口部３１１が形成されている。
接続部材３２は、連接された第１傾斜面２１及び第２傾斜面２２の傾斜形状に対応して断面視略Ｖ字形状を有し、開口部３１１を閉塞するようにケース本体３１に接続され、ケース本体３１とともに天面部２Ａを構成する。
すなわち、接続部材３２は、第１傾斜面２１及び第２傾斜面２２（凹部２２１及び画像用開口部２２１Ａを含む）を有するものであり、ケース本体３１に接続することで第１傾斜面２１及び第２傾斜面２２を構成する。
そして、本実施形態では、接続部材３２は、素材自体が黒色の合成樹脂成形品で構成されている。
【００２９】
上述した第２実施形態によれば、前記第１実施形態の効果の他、以下の効果がある。
本実施形態では、第１傾斜面２１及び第２傾斜面２２（凹部２２１及び画像用開口部２２１Ａを含む）を有する接続部材３２がケース本体３１とは別体で構成されている。このことにより、接続部材３２のみを素材自体が黒色の合成樹脂成形品で構成すれば、ケース本体３１を他の材料で構成することが可能となり、外装筐体２の設計の自由度を向上できる。
また、外装筐体２の設計の自由度を向上させるために、前記第１実施形態のように、アッパーケース３を単体で構成し、第１傾斜面や凹部２２１の側壁のみを黒で塗装することも考えられる。そして、このように構成した場合には外装筐体２の製造コストが増加してしまうところ、本実施形態のように接続部材３２のみを素材自体が黒色の合成樹脂成形品で構成すれば、低コストで外装筐体２を製造できる。
【００３０】
[第３実施形態]
次に、本発明の第３実施形態を図面に基づいて説明する。
以下の説明では、前記第１実施形態と同様の構造及び同一部材には同一符号を付して、その詳細な説明は省略または簡略化する。
図７は、本実施形態におけるプロジェクター１の外観を示す斜視図である。具体的に、図７は、前面上方側からプロジェクター１を見た斜視図である。
前記第１実施形態では、アッパーケース３（第１傾斜面２１、及び凹部２２１の側壁）には、光吸収処理が施されていた。
これに対して第３実施形態では、第１傾斜面２１、及び凹部２２１の側壁には、入射した光を拡散する光拡散処理が施されている。
その他の構成は、前記第１実施形態と同様である。
【００３１】
図８は、第１傾斜面２１に形成された投射対向面２１１及び非対向面２１２を示す図である。具体的に、図８は、前面側から見て左側方からの投射対向面２１１及び非対向面２１２の側面図である。
本実施形態では、第１傾斜面２１、及び凹部２２１の側壁を以下の形状とすることで、入射した光を拡散する構造としている。
なお、第１傾斜面２１と凹部２２１の側壁とは同一の形状であるため、以下では、第１傾斜面２１の形状のみを説明し、凹部２２１の側壁の形状については説明を省略する。
第１傾斜面２１には、図８に示すように、画像用開口部２２１Ａを介して投射された画像の投射方向Ｒ（本実施形態では背面の斜め下方）に向く投射対向面２１１と、画像の非投射方向（本実施形態では前面の斜め上方）に向く非対向面２１２とが第１傾斜面２１の傾斜方向（背面の斜め下方から前面の斜め上方への方向）に沿って交互に複数形成されている。
【００３２】
上述した第３実施形態によれば、前記第１実施形態と同様の効果の他、以下の効果がある。
本実施形態では、第１傾斜面２１及び凹部２２１の側壁には光拡散処理が施されている。このことにより、不要光が画像用開口部２２１Ａを介して外装筐体２外部に射出され、第１傾斜面２１や凹部２２１の側壁に入射した場合であっても、第１傾斜面２１や凹部２２１の側壁にて不要光が拡散されることとなり、不要光が第１傾斜面２１や凹部２２１の側壁を介して被投射面Ｓｃに入射することを防止できる。このため、被投射面Ｓｃ上に表示された投射画像に不要光が含まれることがなく、投射画像の画質を良好に維持できる。
【００３３】
また、第１傾斜面２１及び凹部２２１の側壁には、投射対向面２１１及び非対向面２１２が投射方向Ｒに沿って交互に複数形成されている。このことにより、不要光が画像用開口部２２１Ａを介して外装筐体２外部に射出され、第１傾斜面２１や凹部２２１の側壁に入射した場合であっても、複数の投射対向面２１１により、背面側に反射させて拡散することができる。すなわち、複数の投射対向面２１１及び複数の非対向面２１２という簡素な構造で不要光を拡散する構造を実現できる。
【００３４】
なお、本発明は前述の実施形態に限定されるものではなく、本発明の目的を達成できる範囲での変形、改良等は本発明に含まれるものである。
前記第３実施形態において、前記第１実施形態で説明したようにアッパーケース３を素材自体が黒色の合成樹脂成形品で構成しても構わない。すなわち、第１傾斜面２１や凹部２２１の側壁に光吸収処理及び光拡散処理の双方を施しても構わない。
また、前記第３実施形態において、前記第２実施形態で説明したようにアッパーケース３をケース本体３１と接続部材３２の２体で構成し、接続部材３２における第１傾斜面２１及び凹部２２１の側壁に光拡散処理を施した構成を採用しても構わない。
【００３５】
前記第１実施形態及び前記第２実施形態では、光を吸収させるために、アッパーケース３や接続部材３２を素材自体が黒色の合成樹脂成形品で構成していたが、これに限らず、第１傾斜面２１や凹部２２１の側壁のみを黒で塗装した構成としても構わない。
前記第３実施形態では、光を拡散させるために、第１傾斜面２１に複数の投射対向面２１１及び非対向面２１２を形成していたが、これに限らず、例えば、第１傾斜面２１にシボ加工やサンドブラスト等のブラスト加工を施した構成を採用しても構わない。
前記各実施形態では、画像用開口部２２１Ａは、凹部２２１の底部分に形成されていたが、これに限らず、凹部２２１を省略し、第２傾斜面２２に直接、形成しても構わない。
【産業上の利用可能性】
【００３６】
本発明のプロジェクターは、プレゼンテーションやホームシアターに用いられるプロジェクターとして利用できる。
【符号の説明】
【００３７】
１・・・プロジェクター、２・・・外装筐体、２Ａ・・・天面部（第一の側壁部）、２Ｂ・・・底面部（第二の側壁部）、６・・・投射光学装置、３１・・・ケース本体（外装筐体本体）、３２・・・接続部材、６２・・・非球面ミラー（反射ミラー）、２１１・・・投射対向面、２１２・・・非対向面、２２１・・・凹部、２２１Ａ・・・画像用開口部、Ｒ・・・投射方向。
【図１】
0005402287.tif 000002
【図２】
0005402287.tif 000003
【図３】
0005402287.tif 000004
【図４】
0005402287.tif 000005
【図５】
0005402287.tif 000006
【図６】
0005402287.tif 000007
【図７】
0005402287.tif 000008
【図８】
0005402287.tif 000009